(57)【要約】【課題】使用性および取扱性等に優れているとともに、清涼感に富んだゆかた帯を提供することを目的とする。【解決手段】胴部２の背側に羽根部３を有するゆかた帯１であって、胴部２および羽根部３は合成樹脂製のメッシュ状素材により成形される。胴部２を構成する帯体４の一端側にガイド金具５を備え、ガイド金具５を介して帯体４の他端側を一端側に着脱可能に結合し、環状の胴部２が形成される。帯体４の内側にてその基端が帯体４の一端側に結合し、その自由端がガイド金具５に周長さ可変となるように結合する帯もしくは紐状の締め具８を備える。締め具８の長さ調節により帯び締め具合を調整可能とする。【選択図】       図１
2005105444.tif 000002
【特許請求の範囲】
【請求項１】
胴部の背側に羽根部を有するゆかた帯であって、
前記胴部および前記羽根部は合成樹脂製のメッシュ状素材により成形されるとともに、前記胴部を構成する帯体の一端側にガイド金具を備え、このガイド金具を介して前記帯体の他端側を前記一端側に着脱可能に結合し、環状の前記胴部が形成されることを特徴とするゆかた帯。
【請求項２】
前記帯体の内側にてその基端が該帯体の一端側に結合し、その自由端が前記ガイド金具に周長さ可変となるように結合する帯もしくは紐状の締め具を備え、この締め具の長さ調節により帯び締め具合を調整可能としたことを特徴とする請求項１に記載のゆかた帯。
【請求項３】
前記ガイド金具は、前記帯体の他端側を挿脱可能に形成されたスリット状のガイド孔を有し、このガイド孔を挿通した前記帯体の他端側が前記一端側に結合することを特徴とする請求項１または２に記載のゆかた帯。
【請求項４】
前記ガイド金具は、所定の剛性を有するとともに、前記帯体の幅方向において屈曲もしくは湾曲自在に構成されたことを特徴とする請求項１〜３のいずれか１項に記載のゆかた帯。
【発明の詳細な説明】
【技術分野】
【０００１】
本発明は、典型的にはゆかたを帯結びするために好適なゆかた帯に関するものである。
【背景技術】
【０００２】
最近ではゆかたを帯結びする際、たとえば「ワンタッチ帯」等と称するゆかた帯が使用されている。このようなゆかた帯として、布製あるいは合成樹脂製のものがあり、比較的簡単な構成になっているとともに、簡便に帯結びすることができ、その使用者も次第に増えてきている。
【発明の開示】
【発明が解決しようとする課題】
【０００３】
従来のこの種のゆかた帯は裏地を有し、さらに内部に芯材が挿入されており、したがって風通しが悪くならざるを得なかった。特に、ゆかた等は暑い夏場に着る場合が多く、風通し性が着心地に影響するため好ましくない。また、ナイロンあるいはテトロン等の合成繊維製のものにあっては、折り返して使用する場合折れ曲がってしまい、折り目がついて使用性あるいは取扱性が悪くなる等の問題があった。
【０００４】
本発明はかかる実情に鑑み、使用性および取扱性等に優れているとともに、清涼感に富んだゆかた帯を提供することを目的とする。
【課題を解決するための手段】
【０００５】
本発明のゆかた帯は、胴部の背側に羽根部を有するゆかた帯であって、前記胴部および前記羽根部は合成樹脂製のメッシュ状素材により成形されるとともに、前記胴部を構成する帯体の一端側にガイド金具を備え、このガイド金具を介して前記帯体の他端側を前記一端側に着脱可能に結合し、環状の前記胴部が形成されることを特徴とする。
【０００６】
また、本発明のゆかた帯において、前記帯体の内側にてその基端が該帯体の一端側に結合し、その自由端が前記ガイド金具に周長さ可変となるように結合する帯もしくは紐状の締め具を備え、この締め具の長さ調節により帯び締め具合を調整可能としたことを特徴とする。
【０００７】
また、本発明のゆかた帯において、前記ガイド金具は、前記帯体の他端側を挿脱可能に形成されたスリット状のガイド孔を有し、このガイド孔を挿通した前記帯体の他端側が前記一端側に結合することを特徴とする。
【０００８】
また、本発明のゆかた帯において、前記ガイド金具は、所定の剛性を有するとともに、前記帯体の幅方向において屈曲もしくは湾曲自在に構成されたことを特徴とする。
【０００９】
本発明のゆかた帯では、ゆかたを着た人のウェスト部に帯体をあてがい、帯体の一端側に設けたガイド金具のガイド孔に帯体の他端側を挿通させ、帯体の内側に結合する。その際、締め具の長さを調節することで帯び締め具合を調整することができる。
【発明の効果】
【００１０】
本発明によれば、合成樹脂製のメッシュ状素材により成形されるため通気性がよく、良好な清涼感が得られる。また、帯を締める際帯体を折り曲げて使用することがないため、折り目がつくこともなく高い使用性あるいは取扱性を有する。
【発明を実施するための最良の形態】
【００１１】
以下、本発明によるゆかた帯の好適な実施の形態について、添付図面に基づいて詳細に説明する。
図１は、この実施形態におけるゆかた帯を示している。ゆかた帯１は、ゆかたを着た人のウェスト部に巻かれ締められる胴部２と胴部２の背側に位置するように取り付けられた羽根部３を有する。胴部２は概略円筒状（環状）を呈し、また、羽根部３は種々の結び目を模して文庫結び、一文字結びあるいは花結び等の形態を呈する。
【００１２】
これら胴部２および羽根部３は合成樹脂製のメッシュ状素材（典型的にはナイロン等の合成繊維が好適である）を用い、その素材を適宜裁断、縫合することで所定形態となるように成形される。なお、メッシュの大きさ（粗さ）等は通気性を確保した上、必要強度を得るように設定される。その際、必要に応じて適宜補強材を当てて添設してもよく、一定の剛性（強さ）と柔軟性を持つように形成される。
【００１３】
胴部２は、図２に示したような帯体４により構成される。帯体４は前述のメッシュ状素材により帯状に形成され、周縁部等には適宜補強材が添設される。帯体４の幅は一般的なゆかた帯と同等に設定され、また、長さはゆかた帯１を締めた際、一端側と他端側とが適度に重なるように設定される。帯体４の一端側に後述するガイド金具５を備え、このガイド金具５を介して帯体４の他端側を一端側に着脱可能に結合し、環状の胴部２が形成されようになっている。帯体４の他端側には一端側に結合させるための結合手段である付着小片６（所謂マジックテープ等であってよい）を有する。なお、帯体４の一端側の内側には、付着小片６が付着する付着部７が設けられている。
【００１４】
ここで、図３はガイド金具５の構成例を示している。ガイド金具５は金属製の線材（たとえば鋼線であってよい）により形成され、ほぼ帯体４の幅と対応するように細長の矩形状に成形される。また、ガイド金具５は帯体４の他端側を挿脱可能にするように形成されたスリット状のガイド孔５ａを有し、このガイド孔５ａを挿通した帯体４の他端側を一端側に結合させるようになっている。帯体４の他端側は、ガイド孔５ａに挿通し易くするためにカット部４ａを設けることで幅狭に形成されている。
【００１５】
また、ガイド金具５は、この例では幅方向に３段構成され、各段は連結部５ｂにより連結される。連結部５ｂにおいて、球状に適度に膨らんだ端部５ｃ同士を突き合わせ、かつ分離しないように芯材（図示せず）により結合させる。この場合、端部５ｃ同士はフレキシブルに結合し、つまり適度に折曲可能である。これによりガイド金具５は所定の剛性を有するとともに、幅方向において屈曲もしくは湾曲自在に構成される。
【００１６】
さらに、図２に示されるように帯体４の内側にてその基端が帯体４の一端側に結合し、その自由端がガイド金具５に周長さ可変となるように結合する帯もしくは紐状の締め具８を備える。この締め具８の長さ調節により帯び締め具合を調整可能としている。
【００１７】
締め具８は帯体４の通気性を保つようにかなり幅狭であり、この例では織り布製の１本の締め具８が帯体４のほぼ中央部（幅方向）に位置するように取り付けられる。締め具８の自由端側には、ガイド金具５に結合させるための結合手段である付着小片９（所謂マジックテープ等であってよい）を有する。ガイド金具５には、締め具８の自由端側を巻回掛止するための掛止部５ｄが設けられている。
【００１８】
本発明のゆかた帯１を使用する場合、先ず羽根部３が背側に位置するように、ゆかたを着た人のウェスト部に帯体４をあてがい、図４のようにガイド金具５の掛止部５ｄに締め具８の自由端側を巻回し（図５（ａ）参照）、仮止めしておく。つぎに、図５（ｂ）のように帯体４の他端側をガイド金具５のガイド孔５ａに挿通し、適度な締め具合となるように付着小片６を付着部７に付着させる。この場合、締め具８の長さを調節することで帯び締め具合を調整することができ、これにより図５（ｃ）のように最適な締め具合でゆかたを帯結びすることができる。
【００１９】
本発明のゆかた帯１は、メッシュ状素材により成形されるめ通気性がよく、実際に締めた際、良好な清涼感が得られる。また、ゆかた帯１を締める際、帯体４の他端側をガイド金具５のガイド孔５ａに挿通するという簡単な操作で行なうことができ、すなわち折り曲げて使用することがないため、折り目がつくこともなく使用性、取扱性に極めて優れている。
【００２０】
なお、本発明の好適な実施形態を説明したが、本発明は上述した実施形態にのみ限定されるものではなく、必要に応じて適宜変更等が可能である。
たとえば、締め具８は帯体４の上下２段、あるいは上中下３段位置に２本あるいは３本設けてよい。また、帯体４に印刷し、あるいはレース等を縫い付けてそれらの間に種々の模様あるいは形状を有する色テープ等を挿入することで高い装飾効果が得られる。
【図面の簡単な説明】
【００２１】
【図１】本発明の実施形態におけるゆかた帯を示すそれぞれ斜視図である。
【図２】本発明の実施形態におけるゆかた帯の帯体の構成例を示す上面図および正面図である。
【図３】本発明の実施形態におけるゆかた帯に係るガイド金具を示す正面図である。
【図４】本発明の実施形態におけるゆかた帯の帯締め方の例を示す斜視図である。
【図５】本発明の実施形態におけるゆかた帯の帯締め方の例を示すそれぞれ上面図である。
【符号の説明】
【００２２】
１  ゆかた帯
２  胴部
３  羽根部
４  帯体
５  ガイド金具
６  付着小片
７  付着部
８  締め具
９  付着小片
【図１】
2005105444.tif 000003
【図２】
2005105444.tif 000004
【図３】
2005105444.tif 000005
【図４】
2005105444.tif 000006
【図５】
2005105444.tif 000007